(57)【要約】【課題】多様な屋外環境に設置可能であるように冷却機能を備え、かつ、長寿命かつ信頼性の高い画像表示装置を実現する。【解決手段】画像表示手段としてのプロジェクター１０２を外装筺体１０１に収納する画像表示装置１００であって、外装筺体１０１は、プロジェクター１０２を配設した断熱部２０１と、非断熱部２０３に区画される。断熱部２０１はさらに、窓１０４と、プロジェクター１０２の排気ダクト１０３、蒸発器３０１ｃ、冷却ファン３０１ｅ、第２の温度センサー４０２を備える。非断熱部２０３は、圧縮器３０１ａ、凝縮器３０１ｂ、冷却ファン３０１ｄ、第１の温度センサー４０１を備える。【選択図】図３
2011028030.tif 000002
【特許請求の範囲】
【請求項１】
画像を表示可能な画像表示手段を収納する外装筐体を備えた画像表示装置であって、前記外装筐体は、断熱手段と、前記外装筐体の内部の冷却を行う冷却手段を具備し、前記冷却手段は冷却能力が可変であることを特徴とする画像表示装置。
【請求項２】
前記冷却手段は、圧縮器と凝縮器と蒸発器と第１の冷却ファンを備えたことを特徴とする請求項１に記載の画像表示装置。
【請求項３】
前記冷却手段は、圧縮器と凝縮器と蒸発器と第１の冷却ファンを備えた第１の冷却手段と、第２の冷却ファンと熱伝導による熱交換器を備えた第２の冷却手段とを備えたことを特徴とする請求項１に記載の画像表示装置。
【請求項４】
前記冷却手段による冷却能力の調整が、前記圧縮器のモーターの回転数により行われることを特徴とする請求項２または請求項３に記載の画像表示装置。
【請求項５】
前記冷却手段による冷却能力の調整が、前記第１の冷却ファンのモーターの回転数により行われることを特徴とする請求項２または請求項３に記載の画像表示装置。
【請求項６】
前記冷却手段による冷却能力の調整が、前記第２の冷却ファンのモーターの回転数により行われることを特徴とする請求項３に記載の画像表示装置。
【請求項７】
前記冷却手段による冷却能力の調整が、冷却手段中の空気の流路を切り替えることにより行われることを特徴とする請求項３に記載の画像表示装置。
【請求項８】
前記画像表示手段の消費電力に基づいて前記冷却能力手段の冷却能力を調整することを特徴とする請求項１から請求項７のいずれかに記載の画像表示装置。
【請求項９】
前記外装筐体の内部に第１の温度センサーと第２の温度センサーを備え、前記第１および第２の温度センサーが検出する温度情報に基づいて前記冷却手段の冷却能力を調整することを特徴とする請求項１から請求項８のいずれかに記載の画像表示装置。
【請求項１０】
前記第１の温度センサーは、前記外装筐体外部の環境温度に準じる温度を検出することを特徴とする請求項９に記載の画像表示装置。
【請求項１１】
前記第２の温度センサーは、前記画像表示手段のいずれかの箇所に準じる温度を検出することを特徴とする請求項９に記載の画像表示装置。
【請求項１２】
前記画像表示手段は投射型の画像表示手段であり、さらに透過型スクリーンを外装筐体に収納したことを特徴とする請求項１から請求項１１のいずれかに記載の画像表示装置。
【発明の詳細な説明】
【技術分野】
【０００１】
本発明は、画像表示装置に関するものであり、特に屋外など、外光や照明のある環境下において使用する画像表示装置に関するものである。
【背景技術】
【０００２】
近年、画像表示装置の大型化、高輝度化、高精細化の進展とネットワーク環境の普及に伴って、映像媒体による電子広告が急速に拡大している。ポスターでは広告内容を変更するたびにポスターの貼り替え作業等が発生するが、電子広告では配信サーバのコンテンツを変更するのみで瞬時に広告内容の変更が可能となるため、有用な広告媒体となる。
【０００３】
電子広告などのいわゆるデジタルサイネージは、これまで主に屋内にて導入が進められてきたが、新しい市場として、屋外における映像表示が注目されている。例えば、不特定多数の視聴者を対象に大型の画像表示装置を屋外の公共の場所などに設置して販売促進や広告に使用したり、交通機関などの情報案内に使用したりするといった、屋外ならではの用途が考えられる。
【０００４】
大型画面を得る表示装置として、液晶ディスプレイやプラズマディスプレイといった直視型ディスプレイが近年普及してきたが、これらは主に屋内での使用を前提として開発されてきた装置であり、そのまま屋外で使用することは一般に不適である。屋外においてディスプレイを使用する上での大きな課題として、視認性と耐候性が挙げられるからである。
【０００５】
特に直射日光があたるような晴天下の環境においては、映像媒体の十分な視認性を確保するために、きわめて高輝度の表示画像が不可欠となる。また、効果的な情報案内を行うためには、大型でかつ高精細の画像を表示することも重要である。液晶ディスプレイやプラズマディスプレイは近年パネルの大型化が進み、高精細で比較的大型の画面を得ることができるようになったが、屋外使用のためには輝度が不十分である。原理的には光源電力を増加させることで高輝度化が可能であるが、莫大な消費電力を要する上、ディスプレイ内部で熱負荷が増すために、信頼性が低下する問題が発生する。
【０００６】
次に、耐候性として、苛酷な温度変化や、直射日光による温度上昇や紫外線被爆、埃や風雨の影響にも十分な配慮が必要である。炎天下の直射日光下では、ディスプレイの筐体内部の温度は、外気温に比べて大きく上昇するため、表示装置の劣化や動作不良を招きやすい。さらに、直視型のディスプレイは、パネル部分が直射日光に曝されると、パネル内部に近接して配置されているディスプレイ構成素子の温度が上昇し、性能が劣化する懸念もある。逆に、氷点下の環境になると、液晶ディスプレイでは、一般に液晶の動作特性が劣化するため、所望の画像表示ができない。
【０００７】
また、屋内向けの表示装置は降雨に対する対策は施されておらず、また、粉塵の量も、屋内よりも屋外の方が劣悪であることが多い。すなわち、通常の画像表示装置は適切に空調された環境で使用することを前提としているため、屋外の苛酷な温度変化に対応できないと言える。
【０００８】
一方、屋外で使用できる耐候性を有し、かつ高輝度の画像を提供することができる画像表示装置として、ＬＥＤを用いた表示装置が商品化されているが、画素ピッチが粗いため、高精細にしようとすると、相対的に画面サイズを大きくしなければならず、極めて大電力で高コストの製品となっていた。
【０００９】
これに対して、プロジェクターを利用する方法は、ミラーを介して映像を透過型スクリーンへ投射する背面投射型（リア方式）プロジェクターまたは映像を直接反射型スクリーンに投射する前面投射型（フロント方式）プロジェクターの２つの方式が利用可能であり、拡大倍率を適切に調整することにより、屋外使用に十分な高輝度を得ることが可能である。
【００１０】
耐候性の面においても、プロジェクターを利用する方法は、投射ユニットがスクリーンから離れて配置されるため、直視型ディスプレイに比べて、直射日光の影響を低減することが可能である。
【００１１】
しかしながら、プロジェクターの光源が発熱体となることに加え、ディーエムディー（ＤＭＤ（Ｄｉｇｉｔａｌ  Ｍｉｃｒｏｍｉｒｒｏｒ  Ｄｅｖｉｃｅ））や液晶表示素子といった画像表示素子、偏光フィルタ等の温度上昇によって性能が劣化しやすい光学デバイスが用いられているため、筐体内部を効率的に冷却することが重要となる。とりわけ、屋外において直接太陽光に曝される環境では、直射日光による筐体の温度上昇が問題になるため、使用環境を考慮したプロジェクターの温度管理は必要となる。
【００１２】
これまで、屋外設置用の表示装置としては、例えば、プロジェクターの筺体内に空調機を配設する方法が提案されている（例えば、特許文献１〜３参照）。
【００１３】
また、投射型表示装置を効率的に冷却する技術としては、空調機、熱交換器、断熱性部材、仕切り板などを使用して冷却効果を向上させる方法が、従来、開示されている（例えば、特許文献４〜６参照）。
【先行技術文献】
【特許文献】
【００１４】
【特許文献１】特開２００２−３１１５０８号公報
【特許文献２】特開２００２−３４１８１０号公報
【特許文献３】特開２００３−１４９７３９号公報
【特許文献４】特開２０００−２９８３１１号公報
【特許文献５】特開２００５−１４８６２４号公報
【特許文献６】特開２００１−２０９１２５号公報
【発明の概要】
【発明が解決しようとする課題】
【００１５】
しかしながら、従来、開示されている画像表示装置の冷却効果を高める技術では、屋外設置における対策が十分とはいえない。特許文献１〜３においては、空調機の性能を適切に活用する具体的な機構構造は明確化されていない。特許文献４〜６においては、画像表示素子およびその周辺部の冷却機構構造について公開されているが、筐体全体の冷却機構構造は最適化されていない。
【００１６】
特に、屋外で長期間、高い信頼性にて画像表示装置を使用する場合には、筐体全体の設置環境に関する詳細な検討が不可欠であり、気温や日照の条件等に関する厳しい耐候性が要求される。
【００１７】
さらに、屋外環境においては、環境温度や日射の有無などで画像表示装置の温度が大きく変化するため、好ましい冷却特性が大きく変化する。環境温度が高くなるほど、また日射がない場合よりも直射日光を被爆する場合の方が、冷却手段に求められる冷却能力が大きくなる。また、昼間と夜間では画像表示装置の好ましい輝度が異なるため、画像表示手段の消費電力が異なってくる。すなわち、昼間と夜間でも必要となる冷却能力が変化する。
【００１８】
本発明は、以上の課題を解決するものであり、多様な屋外環境に設置可能な高精細度で高輝度の画像表示装置を実現することを目的とする。
【課題を解決するための手段】
【００１９】
上述したような目的を達成するために、本発明の画像表示装置は、画像を表示可能な画像表示手段を収納する外装筐体を備え、前記外装筐体は、断熱手段と、前記外装筐体の内部の冷却を行う冷却手段を具備し、前記冷却手段は冷却能力が可変であることを特徴とする。
【００２０】
屋外においては、屋内での利用と比較して多様な使用環境が考えられるが、すべての環境においてこの大きな冷却能力を有する冷却手段を動作させると、画像表示装置内の温度が下がりすぎて、環境温度に比べて画像表示装置内部の温度の方が低い箇所が発生し、その部位が結露する場合がある。
【００２１】
そこで、本発明では、環境温度、日射の有無、内部消費電力等に応じて、冷却手段の冷却能力を可変とした。このような構成により、高い信頼性を有する画像表示装置を提供することが可能となる。
【００２２】
冷却手段の最大冷却能力は、画面サイズに依存する。例えば、屋外において十分な視認性を確保するための画面の輝度として２０００ｃｄ／ｍ＾２以上であることが好ましい。大型でかつ高精細の画像として、５０インチ（対角長さ）の画面サイズでこの輝度を達成するためには、画像表示手段の消費電力が３００Ｗ程度は必要になるため、３００Ｗの発熱を相殺できる冷却能力を有していることが望まれる。すなわち、画面サイズが５０インチの場合は、冷却手段の最大冷却能力が３００Ｗ以上であることが好ましい。さらに、直射日光による外部からの熱の侵入の影響を考慮すると、冷却手段の最大冷却能力は５００Ｗ以上であることが、より好ましい。
【００２３】
画面サイズが２倍になると、必要な光量は４倍になるので、画面サイズが１００インチの場合は、冷却手段の最大冷却能力が１２００Ｗ以上であることが好ましい。
【００２４】
一方、夜間では１０００ｃｄ／ｍ＾２以上の輝度は明るすぎて不快となるため、画像表示装置の輝度を昼間の半分以下に低下させることが望ましく、画像表示手段の消費電力も半分以下となる。そこで、冷却手段を稼動させているときの最低冷却能力は、最大冷却能力の半分以下であることが望ましい。
【００２５】
また、本発明の画像表示装置は、冷却手段は、圧縮器と凝縮器と蒸発器と第１の冷却ファンを備えることを特徴とする。
【００２６】
冷却手段として様々な方法が実用化されているが、このような相変化を伴う冷凍循環サイクルの原理を適用した構成により、画像表示手段による発熱量を相殺するに十分な最大冷却能力を確保し、画像表示装置内の所望の領域を、環境温度と同程度の温度まで適切に冷却することができる。
【００２７】
また、本発明の画像表示装置は、冷却手段は、圧縮器と凝縮器と蒸発器と第１の冷却ファンを備えた第１の冷却手段と、第２の冷却ファンと熱伝導による熱交換器を備えた第２の冷却手段とを備えることを特徴とする。
【００２８】
第２の冷却手段は、冷凍循環サイクルの原理を適用した第１の冷却手段とは異なり、環境温度より低温に冷却する能力を持った冷却手段ではなく、放熱によって冷却を行う熱交換器である。プレートフィン、ヒートパイプ、ラジエータなどを熱交換器として使用することが可能である。熱交換器の効率を高めるために、第２の冷却ファンを併用する。
【００２９】
このように、二つの冷却手段を備えることにより、環境温度と内部消費電力に応じた、より適切な冷却を達成することが可能となる。大きな冷却能力が必要とされないときは、第２の冷却手段のみを稼動し、少ない消費電力で、効果的に内部の冷却を実施することができる。
【００３０】
また、本発明の画像表示装置では、冷却手段による冷却能力の調整が、圧縮器のモーターの回転数により行われることを特徴とする。このような構成により、例えば、圧縮器のモーター回転数をインバータ回路により適切に制御し、画像表示装置の冷却能力を効率よく制御することが可能となる。
【００３１】
また、本発明の画像表示装置では、冷却手段による冷却能力の調整が、第１の冷却ファン、あるいは第２の冷却ファンのモーターの回転数により行われることを特徴とする。このような構成により、冷却ファンのモーターの回転数を変えるだけで容易に冷却能力を調整することが可能となる。
【００３２】
また、本発明の画像表示装置では、冷却手段による冷却能力の調整が、冷却手段中の空気の流路を切り替えることにより行われることを特徴とする。このような構成により、画像表示装置内部での冷風や熱風の流路を切り替え、それにより冷却手段による冷却能力を簡便に調整することが可能である。
【００３３】
また、本発明の画像表示装置では、画像表示手段の消費電力に基づいて冷却能力手段の冷却能力を調整することを特徴とする。内部発熱の量は、画像表示手段の消費電力に応じて変化するため、画像表示手段の消費電力に基づいて冷却能力を調整することが好ましい。
【００３４】
また、本発明の画像表示装置では、外装筐体の内部に第１の温度センサーと第２の温度センサーを備え、第１および第２の温度センサーが検出する温度情報に基づいて冷却手段の冷却能力を調整することを特徴とし、第１の温度センサーは外装筐体外部の環境温度に準じる温度を、第２の温度センサーは、前記画像表示手段のいずれかの箇所に準じる温度を検出することを特徴とする。
【００３５】
このような構成により、画像表示装置が配置されている環境温度と、画像表示装置内部の温度の両方を同時に検出することができる。すなわち、外部の環境負荷と内部発熱の負荷の両方の情報に基づいた制御ができるため、冷却能力の調整を適切に実施することが可能である。
【００３６】
また、本発明の画像表示装置では、画像表示手段は投射型の画像表示手段であり、さらに透過型スクリーンを外装筐体に収納したことを特徴とする。このような構成により、投射ユニットがスクリーンから離れたプロジェクター方式の画像表示装置となるため、直視型のディスプレイに比べて、直射日光の影響を低減することが可能である。
【発明の効果】
【００３７】
本発明による画像表示装置によれば、搭載される画像表示手段の冷却効果を高める筺体構造および冷却手段を採用することにより、画像表示装置の耐候性を適切かつ効果的に高め、屋外表示装置として多様な屋外環境に設置可能な、高精細度、高輝度、かつ長寿命で高信頼性の画像表示装置を実現することができる。
【図面の簡単な説明】
【００３８】
【図１】本発明の実施の形態における画像表示装置の基本事例を示す主要構成図
【図２】本発明の冷却手段の冷却能力と温度の関係を模式的に示すグラフ
【図３】本発明の実施の形態における画像表示装置の応用事例を示す主要構成図
【図４】本発明の実施の形態における画像表示装置の応用事例を示す主要構成図
【発明を実施するための形態】
【００３９】
以下、本発明の実施の形態について、図を用いて説明する。
【００４０】
（実施の形態１）
図１は、本発明の実施の形態１における画像表示装置１００（以下「本装置１００」）の基本構成を示す配置図である。
【００４１】
本装置１は、外装筺体１０１の内部に画像表示手段としての投射型の画像表示手段であるプロジェクターユニット１０２（以下、プロジェクター１０２と略記する）を備え、プロジェクター１０２から出力された画像情報を窓１０４を透過させて投射することにより、画像を大画面で表示する機能を発揮することができる。プロジェクター１０２にはパソコンなどの情報処理装置（図示せず）が接続されて、情報提供サービスに必要な情報を蓄積し、または通信回線を介して外部から情報を入手することができる。
【００４２】
本装置の構成上の特徴として、断熱手段が配設された外装筺体と、画像表示手段と、画像表示装置収納部の冷却を行う冷却手段とを備える。
【００４３】
以下、本装置１００を構成する主要な要素および機能について説明する。
【００４４】
外装筺体１０１は、内部が密閉構造になっている断熱部２０１と、密閉されていない非断熱部２０３に区画されている。断熱部２０１は、第１の断熱部材２０１ａに窓１０４を組み込んだ箱状に形成され、内部にプロジェクター１０２を備えている。
【００４５】
断熱部２０１は、冷却手段３０１から供給される冷気によって効率的にプロジェクター１０２が冷却されるように配設されている。断熱部２０１内部の温度を、第１の温度センサー４０１により検出される外気温と同じあるいはそれ以下に保つために、断熱部材２０１ａが有効である。特に、屋外において、本装置１００が直射日光に曝される場合は、外装筐体１０１の表面は外気温に比べてかなり高温になるが、断熱部材２０１ａの配設によって、外部からの熱の流入を効果的に抑制することができる。
【００４６】
同様に、窓１０４について、断熱部２０１内部への熱の流入を抑制するためには、熱伝導率の低い材料で構成された窓であることが望ましい。また、更に好ましくは、単層板ではなくて、より熱伝導の低い複層板が挙げられる。
【００４７】
窓１０４は上部に配置されており、プロジェクター１０２から上方に投射されているが、投射の向きはこれに限定されるものではなく、水平投射や下方投射でもよい。また、本実施の形態では、画像表示装置としてプロジェクターを挙げたが、本発明の効果はプロジェクターに限定されるものではなく、液晶ディスプレイやプラズマディスプレイにも適用可能である。
【００４８】
断熱部２０１内部の空気の流れを説明する。プロジェクター１０２の発熱を含む温かい排気は、排気ダクト１０３の中を通過して蒸発器３０１ｃへと流れ込む。蒸発器３０１ｃを通過した冷却された空気は第１の冷却ファンＢ３０１ｅによって排出され、断熱部２０１の中を循環して、再びプロジェクター１０２の吸気口よりプロジェクター内部に流入する。以上のように、プロジェクター１０２の吸気および排気を含む断熱部２０１内部の空気の流れは、断熱部２０１外部とは遮断された内部循環構造となっており、このような構成とすることで、風雨・湿度・粉塵などの影響を受けにくい画像表示装置を提供することが可能となる。
【００４９】
非断熱部２０３には、冷却手段３０１の構成要素である圧縮器３０１ａ、凝縮器３０１ｂ、第１の冷却ファンＡ３０１ｄが配設されており、本装置１００の外部からの空気を取り入れて、非断熱部２０３内部を通過して冷却手段３０１の内部の放熱を行った後、冷却ファン３０１ｄによって、再び本装置１００の外へと排出される。
【００５０】
空調機の循環サイクルとしては、まず、冷媒ガスが圧縮器３０１ａにより圧縮され高温になった状態で凝縮器（アルミ構造のフィン）３０１ｂに送られる。凝縮器３０１ｂ中で冷媒ガスはファンにより冷却されて液化し蒸発器３０１ｃに送られ、蒸発器３０１ｃの内部で液化ガスが周囲から気化熱を奪いながら蒸発し、アルミ構造のフィンを冷却する。
【００５１】
温度の検出は、非断熱部２０３の内部に配設した第１の温度センサー４０１と、断熱部２０１の内部に設置した第２の温度センサー４０２により行う。また、本装置１００の外装筺体１０１内部には、電源ユニットおよび制御ユニット（図示せず）が配設されており、二つの温度センターの検出値に基づいた冷却制御を行う。
【００５２】
上述の通り、本装置１００は、冷凍循環サイクルに基づく空調機を備えており、圧縮器３０１ａのモーターの回転数、および第１の冷却ファン３０１ｄ、３０１ｅのモーターの回転数は可変となっている。第１の温度センサー４０１、第２の温度センサー４０２、および画像表示手段の消費電力に基づいて、適切な冷却能力になるように制御される。
【００５３】
外装筐体１０１外部の環境温度に対して、プロジェクター１０２の配設されている空間である断熱部２０１の温度が低くなりすぎると結露の危険性があるため、断熱部２０１の温度は、環境温度に比べて５℃以上は低くならないことが好ましい。
【００５４】
断熱部２０１内部を冷却しすぎた場合の問題は上述の通りであるが、冷却手段の冷却能力が可変となっていない場合の別の問題点について以下に説明する。
【００５５】
画像表示装置の冷却では、内部に大きな発熱源を有する対象を冷却する。このような冷却を行う代表例として建築物の室内の空調が挙げられるが、本画像表示装置の断熱部２０１は、建築空間の冷却と比べて、空間容積が小さいわりに発熱量が大きいという特徴を有する。
【００５６】
冷却手段の冷却能力が固定である場合は、単純に冷却手段のＯＮとＯＦＦを切り替えることによって温度制御を行うことになる。しかしながら、画像表示装置では冷却対象の熱容量が小さいため、画像表示手段からの発熱を十分に相殺する能力を有する冷却手段をＯＮ／ＯＦＦの単純な２値で稼動すると、冷却手段がＯＦＦの場合は急激に断熱部２０１内部の温度が上昇し、冷却手段をＯＮにすると急速に断熱部２０１内部の温度が低下する現象が発生する。
【００５７】
このような場合、断熱部２０１内部の温度をなるべく一定に保つような制御を行うと、冷却手段のＯＮ／ＯＦＦ周期が短くなる。一般に、圧縮器に使用されているモーターは、ＯＮ／ＯＦＦの動作回数の増加によって寿命が短くなることが知られており、冷却手段の長寿命化のためには、なるべくＯＮ／ＯＦＦ動作回数を低減することが望ましい。
【００５８】
図２に、冷却手段３０１の能力と第２の温度センサー４０２の測定値の関係を模式的に示す。図２（ａ）が最も冷却能力が大きく、次いで図２（ｂ）、最も冷却能力が低いのが図２（ｃ）となっている。横軸が時間、縦軸が温度を示している。ＯＦＦ温度は冷却手段がＯＦＦになる温度であり、ＯＮ温度は冷却手段がＯＮになる温度である。安定した制御を行うため、ＯＮ温度とＯＦＦ温度には適切なヒステリシスが設定されている。
【００５９】
図２（ａ）では冷却能力が大きすぎるため、冷却手段がＯＮになった後に短時間でＯＦＦ温度まで冷却されている。ＯＦＦ温度まで冷却されると冷却手段がＯＦＦになるが、今度は画像表示手段による発熱のために、短時間にＯＮ温度まで上昇する。結果的に周期Ｔ１にてＯＮ／ＯＦＦ動作が繰り返される。図２（ｂ）では、図２（ａ）に比べて冷却能力を小さく設定しているため、ＯＦＦ温度まで冷却される時間が、図２（ａ）よりも長くなっている。そのためＯＮ／ＯＦＦ周期はＴ１＜Ｔ２となっているが、それでもなお周期的なＯＮ／ＯＦＦ動作は繰り返されている。
【００６０】
図２（ｃ）では、更に冷却能力を小さくなるように設定し、冷却手段が連続動作をしてもＯＦＦ温度まで到達しないようにしている。このように調整することで、冷却手段が連続動作したときに、定常時の温度センサー検出値が、ＯＮ温度とＯＦＦ温度の間で飽和するため、モーターのＯＮ／ＯＦＦ回数を減らして冷却手段の長寿命化を図ることができる。
【００６１】
以上のような理由からも、冷却手段３０１は冷却能力が可変であることが好ましく、本実施の形態でも、インバータ回路を用いて圧縮器３０１ａ内部のモーターの回転数を可変とし、また、第１の冷却ファンＡ、第１の冷却ファンＢの回転数も可変としている。
【００６２】
（実施の形態２）
図３は、本発明の実施の形態２における画像表示装置の事例を示す主要配置図である。以下において特に記述のない事項については、すでに述べた図１に示す実施の形態１と同様であり、説明を一部省略する。
【００６３】
実施の形態１との大きな違いは、外装筐体１０１内に透過型スクリーンを取り込んだ点と、第２の冷却手段３０２を採用した点である。
【００６４】
本実施の形態では、外装筺体１０１は、内部が密閉構造になっている第１の断熱部２０１および第２の断熱部２０２と、密閉されていない非断熱部２０３に区画されている。第２の断熱部２０２には、周囲の一面に透過スクリーン１０６が配設されており、残りの面には断熱部材２０２ａが配設されている。また、内部にはミラー１０５が配置されている。第１の断熱部２０１と第２の断熱部２０２は、断熱部材と窓１０４で区画されている。
【００６５】
第１の断熱部２０１と非断熱部２０３には、第２の冷却手段３０２が配設されている。第２の冷却手段は、熱交換器３０２ａ、第２の冷却手段（ファン）Ａ３０２ｂ、第２の冷却手段(ファン)Ｂ３０２ｃにより構成されている。熱交換器３０２ａは第１の断熱部２０１と非断熱部２０３にまたがって配設されているが、第１の断熱部２０１と非断熱部２０３との間で空気の流れはなく、熱の流れのみが発生する。すなわち、熱交換器３０２ａのうち、第１の断熱部２０１中に存在する部分が吸熱部であり、非断熱部２０３中に存在する部分が放熱部となっている。
【００６６】
プロジェクター１０２からの排気は排気ダクト１０３を経由して熱交換器３０２ａにて吸熱された後で、第２の冷却ファンＢ３０２ｃを通過し、蒸発器３０１ｃへと流入する。その後の空気の流れは、実施の形態１の場合と同様である。本実施の形態においても、断熱部２０１内部の空気の経路は外部とは遮断されており、密閉空間内での循環となっている。
【００６７】
非断熱部２０３には、第１の冷却手段３０１の構成要素に加えて、第２の冷却手段３０２の構成要素である熱交換器３０２ａの放熱部と第２の冷却ファンＡ３０２ｂが配設されており、本装置１００外部からの空気を取り入れて、非断熱部２０３内部を通過して熱交換器３０２ａの放熱を行った後、第２の冷却ファンＡ３０２ｂによって、再び本装置１００の外へと排出される。
【００６８】
本実施の形態のように、二つの冷却手段を備えることにより、環境温度と内部消費電力に応じて、一層適切な冷却を達成することが可能となる。
【００６９】
冷凍循環サイクルに基づく第１の冷却手段１は、環境温度が低い状態では信頼性の高い動作が難しい場合がある。そのような場合は、第２の冷却手段を主たる冷却手段として作動させることにより、断熱部２０１を効果的に冷却することができる。また、大きな冷却能力を必要としない場合も、第１の冷却手段のみを作動させることにより、所望の冷却を達成することができる。
【００７０】
二つの冷却手段をプロジェクターからの排気が通る経路としては、まず、第２の冷却手段を通過し、その後で第１の冷却手段を通過することが好ましい。第２の冷却手段は、環境温度との温度差を利用した熱交換であるため、吸熱部と放熱部の温度差を大きくするためには、なるべく吸熱部の温度が高くなるような構成が適切である。そのため、プロジェクターからの排気を、まず第２の冷却手段に流入させることが好ましい。
【００７１】
第２の冷却手段は、電力を消費する主な構成要素がファンのみであるため、低消費電力で効率的な冷却手段となる。本実施の形態では、断熱部２０１内部のプロジェクター１０２の吸気部分の温度が常に一定温度以下になるように、より具体的には、プロジェクター１０２の吸気部分の温度が４０℃以下になるように、冷却手段の総合的な冷却能力を調整した。
【００７２】
一例として、環境温度に対して、断熱部２０１内部の温度が略１５℃高くても支障がない環境温度範囲では、第２の冷却手段３０２を主たる冷却手段として作動させた。第１の温度センサー４０１により検出される環境温度が略２０℃以下の場合は、第２の冷却手段のみを稼動し、環境温度が略２０℃を超える場合は、第１の冷却手段３０１を併用して動作させ、環境温度の上昇に従って第１の冷却手段３０１の冷却能力を大きくした。このように、二つの冷却手段のＯＮ／ＯＦＦを含めて、総合的な冷却能力を適宜調整することにより、実用的な全ての環境温度において、プロジェクター吸気部分の温度を４０℃以下にすることができる。
【００７３】
（実施の形態３）
図４は、本発明の実施の形態３における画像表示装置の事例を示す主要配置図である。図３に示す実施の形態２との違いは、プロジェクター１０２の排気ダクト中に流路切り替え弁１０７が配設されている事であり、その他の点については、実施の形態２と同じである。
【００７４】
切り替え弁１０７が空いている場合、プロジェクター１０２からの排気は冷却手段へと直接流入することなく、断熱部２０１の空間へと放出される。そのため、冷却手段に流入する断熱部２０１内の空気の温度が上がって熱交換の効率が下がるため、結果的に冷却手段の能力が低下する。一方、切り替え弁１０７が閉じている場合は、図３の流路構成と同一である。このように、切り替え弁１０７の開閉によって、冷却手段の能力を調整することが可能となる。
【００７５】
本実施の形態では、流路の切り替え機構として、開閉機構を有する切り替え弁を使用したが、同様の機能を有する機構であれば、この限りではない。
【産業上の利用可能性】
【００７６】
本発明による画像表示装置によれば、高輝度で耐候性に優れた長寿命の画像表示装置を提供することができる。したがって、屋外で使用する画像表示装置として有用である。
【符号の説明】
【００７７】
１００  画像表示装置
１０１  外装筐体
１０２  画像表示手段
１０３  排気ダクト
１０４  窓
１０５  ミラー
１０６  スクリーン
１０７  切り替え弁
２０１  第１の断熱部
２０１ａ  第１の断熱部材
２０２  第２の断熱部
２０２ａ  第２の断熱部材
２０３  非断熱部
３０１  第１の冷却手段
３０１ａ  圧縮器
３０１ｂ  凝縮器
３０１ｃ  蒸発器
３０１ｄ  第１の冷却ファンＡ
３０１ｅ  第１の冷却ファンＢ
３０２  第２の冷却手段
３０２ａ  熱交換器
３０２ｂ  第２の冷却ファンＡ
３０２ｃ  第２の冷却ファンＢ
４０１  第１の温度センサー
４０２  第２の温度センサー
【図１】
2011028030.tif 000003
【図２】
2011028030.tif 000004
【図３】
2011028030.tif 000005
【図４】
2011028030.tif 000006